(57)【要約】【課題】本考案は、迅速診断効果を達成でき、ヒトの心臓・脳血管疾病を効果的に予防する反射式赤外線動脈波形収集器を提案する。【解決手段】反射式赤外線動脈波形収集器は、外殻モジュールと、動脈波形収集モジュールと、伝送モジュールにより構成される。該動脈波形収集モジュールは、外殻モジュール内に設置し、並びに、一つの回路板と、回路板上に各々電気連結するマイクロプロセッサと、反射式赤外線センサを含み、該反射式赤外線センサは、送信部品と該送信部品の一方側に設置した受信部品を備える。よって、該送信部品よって赤外線を人体の血管内に投射し、並びに、該受信部品によって血管から反射された赤外線信号光を受信し、人体の血液情報を読み取り、その後、該マイクロプロセッサの演算及び伝送モジュールを経て、血液情報を血液分析装置に送信し、該血液情報を動脈波形に変換する。【選択図】図１
0003139100.tif 000002
【実用新案登録請求の範囲】
【請求項１】
外殻モジュールと動脈波形収集モジュールと伝送モジュールにより構成される反射式赤外線動脈波形収集器において、
該動脈波形収集モジュールは、外殻モジュール内に設置し、並びに、一つの回路板と、回路板上に各々電気連結して配置されるマイクロプロセッサと、反射式赤外線センサを含み、該反射式赤外線センサは、送信部品と該送信部品の一方側に設置する受信部品を備え、  
該伝送モジュールは、該外殻モジュール内に設置し、該動脈波形収集モジュールに電気連結し、
上述により、該送信部品が赤外線を人体の血管内に投射し、並びに、該受信部品によって血管から反射された赤外線信号光を受信し、人体の血液情報を読み取り、その後、該マイクロプロセッサの演算及び伝送モジュールを経て、血液情報を血液分析装置に送信し、血液情報を動脈波形に変換することを特徴とする反射式赤外線動脈波形収集器。
【請求項２】
前記外殻モジュールは、上外殻と上外殻に組み合わせた下外殻により構成されることを特徴とする請求項１記載の反射式赤外線動脈波形収集器。
【請求項３】
前記送信部品は赤外線ダイオードであることを特徴とする請求項１記載の反射式赤外線動脈波形収集器。
【請求項４】
前記送信部品は、波長が900〜960ナノメートルの赤外線を備えることを特徴とする請求項１記載の反射式赤外線動脈波形収集器。
【請求項５】
前記受信部品は赤外線ダイオードまたは赤外線トランジスタであることを特徴とする請求項１記載の反射式赤外線動脈波形収集器。
【請求項６】
前記動脈波形収集モジュールは、血液情報の信号を拡大するのに用いるフィルタアンプを含み、並びに、フィルタアンプは、回路板上に電気連結配置することを特徴とする請求項１記載の反射式赤外線動脈波形収集器。
【請求項７】
前記伝送モジュールは、無線あるいは有線の伝送モジュールであることを特徴とする請求項１記載の反射式赤外線動脈波形収集器。
【請求項８】
前記無線伝送モジュールはブルートゥースモジュールであることを特徴とする請求項７記載の反射式赤外線動脈波形収集器。
【請求項９】
前記有線伝送モジュールはＵＳＢ伝送線であることを特徴とする請求項７記載の反射式赤外線動脈波形収集器。
【請求項１０】
反射式赤外線動脈波形収集器は更に、赤外線ヘッドと別の伝送モジュールを含み、該別の伝送モジュールの一端は、動脈波形収集モジュールに電気連結し、並びに、赤外線ヘッドは、伝送線によって別の伝送モジュールのもう一端に電気連結されることを特徴とする請求項１記載の反射式赤外線動脈波形収集器。
【考案の詳細な説明】
【技術分野】
【０００１】
本考案は、特に、反射式赤外線センサによって動脈（血流）波形を収集する反射式赤外線動脈波形収集器に関するものである。
【背景技術】
【０００２】
現代において、人々が最も関心を持っているのは「健康」である。特に、「心臓・脳血管疾病」は、既に人の健康をひどく脅かす第二の敵となっている。病の来たるは山の崩るが如く、病の癒えるは絹糸を紡ぐが如し。健康である最良方法は、疾病を早期発見することであり、早期予防し、症状に投薬することである。しかし、経済が急速に発展し競争が激烈する今日、人々は忙しい等の理由で、自らの身体状況をうっかり見落し、発病した時には既に治療が間に合わない事もしばしばある。なぜ故に、自己の健康を軽視してしまうのだろうか？それは、検査には、一に時間、二に経済というコストがかかる所以である。コストダウンは健康を意味しており、健康は、地域を越え種族を越えた永遠の話題である。それなら、どんな方法で疾病予防コストを低下させることができるのか？伝統的には、非浸襲的血流パラメータを採集し、半導体歪みセンサによって橈骨動脈を取る方法がよく見られるが、センサの構造原理の歪みゲージまたは歪みブリッジは弾性のある金属梁上に粘着する故、体積形状は非常に大きな制限を受け、コスト高となり、寿命は短く、壊れ易い。
【０００３】
言い換えれば、公知の応用において、半導体歪み脈拍センサ及び赤外線透過型脈拍センサはどちらも、人体の血流情報を読み取るのに応用されている。しかし、従来に用いられたセンサは、鋭敏度及び精確度が良好でないばかりか、価格は高く、構造は複雑で、最重視すべき点は、従来のセンサの応用範囲は狭く、掌、橈骨動脈、頭部等の部位に関する血流情報の収集が不可能である事である。
【考案の開示】
【考案が解決しようとする課題】
【０００４】
そこで本考案は、前述の技術問題の解決の為に、反射式赤外線センサを通して動脈波形を収集する目的を達成する反射式赤外線動脈（血流）波形収集器を提供することを課題とする。
【０００５】
前述の技術問題を解決する為に、本考案の一実施例において、次の反射式赤外線動脈波形収集器を提供する。それは、外殻モジュール１と、動脈波形収集モジュール２と、伝送モジュール３を含む。その内、該動脈波形収集モジュール２は、外殻モジュール１内に設置する。また、該動脈波形収集モジュール２は、一つの回路板２０と、該回路板２０上に各々電気連結して配置されたマイクロプロセッサ２１と、反射式赤外線センサ２２とを含み、その内、該反射式赤外線センサ２２は、送信部品２２０と、該送信部品２２０の一方側に設置した受信部品２２１を備える。該伝送モジュール３は、該外殻モジュール１内に設置し、該動脈波形収集モジュール２に電気連結する。よって、該送信部品２２０によって赤外線を人体の血管内に投射する。また、該受信部品２２１によって血管から反射された赤外線信号光を受信し、人体の血液情報を読み取る。その後、マイクロプロセッサ２１の演算及び伝送モジュール３を経て、血液情報を血液分析装置に送信し、血液情報を動脈波形に変換する。
【０００６】
よって、本考案を用いて脈拍波を収集すると、コストが低いばかりでなく、精確度も高く、並びに、使用者が必要とする脈拍波形を簡単に収集することができる。また、応用上においては、本考案は、気軽に指動脈、橈骨動脈、脳動脈、こめかみ、掌、唇等いかなる認知したい血流状況の波形を簡単に取ることができる。よって、本考案は、迅速診断効果を達成でき、ヒトの心臓・脳血管疾病を効果的に予防する。
【０００７】
更に深く本考案が予定目標である技術、手段、効果を達成できることを理解する為に、以下に、本考案に関する詳細説明と図面を加える。これにより、本考案の目的、特徴、効果に対し、深く、具体的に理解して戴けるだろう。但し、添付した図面は、参考と説明用に提供するものであり、本考案に制限を加えるものではない。
【課題を解決するための手段】
【０００８】
請求項１の考案は、外殻モジュールと動脈波形収集モジュールと伝送モジュールにより構成される反射式赤外線動脈波形収集器において、
該動脈波形収集モジュールは、外殻モジュール内に設置し、並びに、一つの回路板と、回路板上に各々電気連結して配置されるマイクロプロセッサと、反射式赤外線センサを含み、該反射式赤外線センサは、送信部品と該送信部品の一方側に設置する受信部品を備え、  
該伝送モジュールは、該外殻モジュール内に設置し、該動脈波形収集モジュールに電気連結し、
上述により、該送信部品が赤外線を人体の血管内に投射し、並びに、該受信部品によって血管から反射された赤外線信号光を受信し、人体の血液情報を読み取り、その後、該マイクロプロセッサの演算及び伝送モジュールを経て、血液情報を血液分析装置に送信し、血液情報を動脈波形に変換することを特徴とする反射式赤外線動脈波形収集器としている。
請求項２の考案は、前記外殻モジュールは、上外殻と上外殻に組み合わせた下外殻により構成されることを特徴とする請求項１記載の反射式赤外線動脈波形収集器としている。
請求項３の考案は、前記送信部品は赤外線ダイオードであることを特徴とする請求項１記載の反射式赤外線動脈波形収集器としている。
請求項４の考案は、前記送信部品は、波長が900〜960ナノメートルの赤外線を備えることを特徴とする請求項１記載の反射式赤外線動脈波形収集器としている。
請求項５の考案は、前記受信部品は赤外線ダイオードまたは赤外線トランジスタであることを特徴とする請求項１記載の反射式赤外線動脈波形収集器としている。
請求項６の考案は、前記動脈波形収集モジュールは、血液情報の信号を拡大するのに用いるフィルタアンプを含み、並びに、フィルタアンプは、回路板上に電気連結配置することを特徴とする請求項１記載の反射式赤外線動脈波形収集器としている。
請求項７の考案は、前記伝送モジュールは、無線あるいは有線の伝送モジュールであることを特徴とする請求項１記載の反射式赤外線動脈波形収集器としている。
請求項８の考案は、前記無線伝送モジュールはブルートゥースモジュールであることを特徴とする請求項７記載の反射式赤外線動脈波形収集器としている。
請求項９の考案は、前記有線伝送モジュールはＵＳＢ伝送線であることを特徴とする請求項７記載の反射式赤外線動脈波形収集器としている。
請求項１０の考案は、反射式赤外線動脈波形収集器は更に、赤外線ヘッドと別の伝送モジュールを含み、該別の伝送モジュールの一端は、動脈波形収集モジュールに電気連結し、並びに、赤外線ヘッドは、伝送線によって別の伝送モジュールのもう一端に電気連結されることを特徴とする請求項１記載の反射式赤外線動脈波形収集器としている。
【考案の効果】
【０００９】
以上説明したように本考案の反射式赤外線動脈波形収集器は、低コスト、高精確度、並びに、使用者が必要とする脈拍波形を簡単に収集することができ、また、指動脈、橈骨動脈、脳動脈、こめかみ、掌、唇等いかなる血流状況の波形をも簡単に取ることができる故、迅速診断効果を達成でき、ヒトの心臓・脳血管疾病を効果的に予防することを特徴とする。
【考案を実施するための最良の形態】
【００１０】
図１から図４に示すとおり、本考案の実施例１は、反射式赤外線動脈波形収集器を提供するものであり、それは、外殻モジュール１と、動脈波形収集モジュール２と、伝送モジュール３を含む。
【００１１】
該外殻モジュール１は、上外殻１０と、上外殻１０に組み合わせる下外殻１１により構成される。該上外殻１０と該下外殻１１は、異なる方式で共に嵌合するか組み合わせる。該上外殻１０は、テスト待ちエリア１００を有し、該テスト待ちエリア１００の前端には透明エリア１０１を備える。
【００１２】
また、動脈波形収集モジュール２は、外殻モジュール１内に設置し、並びに、動脈波形収集モジュール２は、回路板２０と、マイクロプロセッサ２１と、反射式赤外線センサ２２と、フィルタアンプ２３を含む。その内、マイクロプロセッサ２１と、反射式赤外線センサ２２と、フィルタアンプ２３は、各々電気連結して回路板２０上に設置され、並びに、反射式赤外線センサ２２は、透明エリア１０１によって際立っている。
【００１３】
この他、図３に示すとおり、反射式赤外線センサ２２は、送信部品２２０と、送信部品２２０の一方側に設置した受信部品２２１を備える。その内、送信部品２２０は、赤外線ダイオードであり、送信部品２２０は、波長が900〜960ナノメートル前後の赤外線を備えており、受信部品２２１は赤外線ダイオードまたは赤外線トランジスタである。送信部品２２０は赤外線Ｌ１を人体Ｈの血管Ｂ内に投射する時、赤外線Ｌ１は反射して血液情報を備えた赤外線信号光Ｌ２になり、並びに、受信部品２２１によって赤外線信号光Ｌ２を受信し、人体Ｈの血液情報を読み取る。並びに、フィルタアンプ２３によりフィルタを用い血液情報の信号を拡大する。
【００１４】
また、伝送モジュール３は、外殻モジュール１内に設置し、並びに、動脈波形収集モジュール２に電気連結する。その内、伝送モジュール３は無線または有線の伝送モジュール３である。無線伝送モジュールはブルートゥース（Bluetooth）モジュール、有線伝送モジュールはユーエスビー（USB）伝送線とすることが可能である。実施例１の図２において、伝送モジュール３は無線伝送モジュールである。
【００１５】
図３及び図４において、使用者は指Ｆを外殻モジュール１のテスト待ちエリア１００上に置いて、透明エリア１０１下端の送信部品２２０を通して、赤外線Ｌ１を人体Ｈの血管Ｂ内に投射する。並びに、受信部品２２１によって血管Ｂから反射された赤外線信号光Ｌ２を受信し、人体Ｈの血液情報を読み取る。その後、フィルタアンプ２３を通った信号の拡大、マイクロプロセッサ２１の演算、伝送モジュール３による血液情報の血液分析装置への送信（未図示）の順に進み、該血液情報を動脈波形に変換する。その内、該血液分析装置は、一般にはブルートゥース機能を備えない携帯電話、パソコン、携帯情報端末（PDA）であるか、ブルートゥース機能を備える携帯電話、パソコン、携帯情報端末（PDA）である。並びに、血液分析装置は、関連する人体動脈波形図及び血流パラメータを備える分析ソフトである。
【００１６】
図５から図８に示すとおり、本考案の実施例２の反射式赤外線動脈波形収集器は同様に、外殻モジュール１’と、動脈波形収集モジュール２’と、伝送モジュール３’を含む。その内、外殻モジュール１’は、上外殻１０’と、上外殻１０’に組み合わせる下外殻１１’により構成される。また実施例１と同様、動脈波形収集モジュール２’は、回路板２０’と、マイクロプロセッサ２１’と、反射式赤外線センサ２２’（送信部品２２０’及び受信部品２２１’を含む）と、フィルタアンプ２３’を含む。
【００１７】
また、実施例２の反射式赤外線動脈波形収集器は更に、赤外線ヘッド４’と別の伝送モジュール５’を含む。その内、別の伝送モジュール５’の一端は動脈波形収集モジュール２’に電気連結し、並びに、赤外線ヘッド４’は、伝送線Ｗによって別の伝送モジュール５’のもう一端に電気連結される。よって、指Ｆを外殻モジュール１’のテスト待ちエリア１００’上に置き（指動脈の読み取りに用いる）、赤外線ヘッド４’を人体のもう一端に配置した場合（本実施例の橈骨動脈箇所）、指動脈と橈骨動脈の間の距離によって、血流の流速を測定できる。
【００１８】
前述するとおり、本考案は、反射式赤外線センサ２２、２２’を採用し、公知の半導体歪み脈拍センサに完全に取って代わるだけでなく、本考案の鋭敏度、精確度、運用利便度は伝統的な歪み脈拍センサよりも相等高く、反射式赤外線センサ２２、２２’の低コストは、その他のセンサとは比較できないものである。
【００１９】
また、本考案の反射式赤外線センサ２２と赤外線透過型脈拍センサの優勢比較は次のとおりである。(1)本考案の構造は簡単である。(2)本考案の応用面は広範である。人体の多くの血流波は、赤外線透過型脈拍センサで収集できないものである（例えば掌、橈骨動脈、頭部等）が、反射式赤外線センサ２２、２２’の応用によって、人体の皮膚の1cm深さ内の動脈血流パラメータはほぼ、収集可能であり、将来の応用範囲は非常に広範である。
【００２０】
よって、本考案を使用しての脈拍波収集は、低コスト、高精確度であるだけでなく、使用者が希望する脈拍波形を簡単に収集可能である。また、応用において、本考案は、指動脈、橈骨動脈、脳動脈、こめかみ、手の平、唇に至るまで、認知したい血流状況の波形を取る事ができる故、本考案は、迅速診断効果を達成し、ヒトの脳・心臓血管疾病を効果的に予防する。
【図面の簡単な説明】
【００２１】
【図１】本考案の反射式赤外線動脈波形収集器の実施例１に関する機能ブロック図である。
【図２】本考案の反射式赤外線動脈波形収集器に関する実施例１の分解図である。
【図３】本考案の反射式赤外線センサに関する実施例１の断面図である。
【図４】本考案の反射式赤外線動脈波形収集器に関する実施例１の使用状態図である。
【図５】本考案の反射式赤外線動脈波形収集器に関する実施例２の機能ブロック図である。
【図６】本考案の反射式赤外線動脈波形収集器に関する実施例２の分解図である。
【図７】本考案の反射式赤外線動脈波形収集器に関する実施例２の使用状態図である。
【図８】本考案の反射式赤外線動脈波形収集器に関する実施例２の一部部品の立体図である。
【符号の説明】
【００２２】
１、１’  外殻モジュール
１０、１０’  上外殻
１１、１１’  下外殻
１００、１００’  テスト待ちエリア
１０１、１０１’  透明エリア
２、２’  動脈波形収集モジュール
２０、２０’  回路板
２１、２１’  マイクロプロセッサ
２２、２２’  反射式赤外線センサ
２２０、２２０’送信部品
２２１、２２１’  受信部品
２３、２３’  フィルタアンプ
３、３’  伝送モジュール
４’  赤外線ヘッド
５’  伝送モジュール
Ｂ  血管
Ｆ  指
Ｈ  人体
Ｌ１  赤外線
Ｌ２  赤外線信号光
Ｗ  伝送線
【図１】
0003139100.tif 000003
【図２】
0003139100.tif 000004
【図３】
0003139100.tif 000005
【図４】
0003139100.tif 000006
【図５】
0003139100.tif 000007
【図６】
0003139100.tif 000008
【図７】
0003139100.tif 000009
【図８】
0003139100.tif 000010